(57)【要約】【課題】超音波振動子のみが駆動されないようにして安全性を高めた負イオン発生装置を得ることを目的とする。【解決手段】回転する水滴分離ネット５を同軸に備えた遠心送風手段７を、接続部８を介して分離自在に設け、運転状態を検知する運転状態検知手段１６を設け、遠心送風手段７を外したときには、運転状態検知手段１６の信号が制御部１４に送られ超音波振動子３の駆動を停止されることにより、超音波振動子３のみが駆動されることがなくなり、安全性を高めた負イオン発生装置が得られる。【選択図】　図１
2004053080.tif 000002
【特許請求の範囲】
【請求項１】
水槽に設けた超音波振動子と、この超音波振動子の上方空間を覆う霧化室と、この霧化室の上部に設けた回転する水滴分離ネットと、この水滴分離ネット側に吸気口を配設した遠心送風手段と、前記超音波振動子を駆動する超音波振動子駆動部と、前記遠心送風手段を駆動する遠心送風手段駆動部と、前記超音波振動子駆動部と前記遠心送風手段駆動部を制御する制御部と、前記霧化室と前記遠心送風手段とを分離自在に接続する接続部と、前記制御部に運転のオン、オフの信号を入力するスイッチ部と、前記遠心送風手段には運転状態を検知し出力する運転状態検知手段と、前記遠心送風手段駆動部を駆動させてからの時間を計測する計測手段とを備え、前記遠心送風手段への電源供給と前記運転状態検知手段の制御部への信号伝達を前記接続部を介して行い、前記制御部は前記運転状態検知手段が運転状態になっているときのみ、前記超音波振動子駆動部を駆動する構成とした負イオン発生装置。
【請求項２】
水槽に設けた超音波振動子と、この超音波振動子の上方空間を覆う霧化室と、この霧化室の上部に設けた回転する水滴分離ネットと、この水滴分離ネット側に吸気口を配設した遠心送風手段と、前記超音波振動子を駆動する超音波振動子駆動部と、前記遠心送風手段を駆動する遠心送風手段駆動部と、前記超音波振動子駆動部と前記遠心送風手段駆動部を制御する制御部と、前記霧化室と前記遠心送風手段とを分離自在に接続する接続部と、前記制御部に運転のオン、オフの信号を入力するスイッチ部と、点検とお手入れを知らせる表示部と、前記遠心送風手段の回転数を検知する回転数検知手段と、前記遠心送風手段駆動部を駆動させてからの時間を計測する計測手段とを備え前記遠心送風手段への電源供給と、前記回転数検知手段の制御部への信号伝達を前記接続部を介して行い、前記制御部は、前記計測手段が前記遠心送風手段の回転が通常状態になるまでの時間を計測した後に、前記回転数検知手段で検知した回転数が正常回転数範囲より小さいときには、前記遠心送風手段駆動部により、前記遠心送風手段を前記超音波振動子駆動部により前記超音波振動子を停止させるとともに前記表示部に点検表示させる構成とした負イオン発生装置。
【請求項３】
スイッチ部の入力により運転状態にさせるときには、制御部は運転状態検知手段の出力が運転状態となってから、計測手段が遠心送風手段の回転が定常状態になるまでの時間を計測した後に、前記制御部が超音波振動子駆動部を制御し超音波振動子を駆動させる構成とした請求項１記載の負イオン発生装置。
【請求項４】
制御部は運転時に回転数検知手段の回転数が正常回転数範囲より大きいときには、遠心送風手段駆動部により遠心送風手段を停止させるとともに、表示部のお手入れ表示部にお手入れ表示をさせる構成とした請求項２記載の負イオン発生装置。
【請求項５】
制御部は運転開始時に遠心送風手段を駆動させ、回転数検知手段の回転数が気水分離する回転数以上になって初めて超音波振動子駆動部を制御し、超音波振動子を駆動する構成とした請求項２記載の負イオン発生装置。
【発明の詳細な説明】
【０００１】
【発明の属する技術分野】
本発明は、超音波振動子を利用して空気中に負イオンを発生させる負イオン発生装置に関する。
【０００２】
【従来の技術】
従来、この種の負イオン発生装置の一例として超音波振動子の上方に設けた霧化室の上部に水滴分離ネットを設け、霧化室に着脱自在に遠心送風手段を設け負イオンを発生するものがあり、その運転制御手段として図１１に示すものが知られていた。以下、その構成について図１１を参照しながら説明する。
【０００３】
図に示すように、電源トランス１０１は商用電源から超音波振動子電源１０２と遠心送風手段電源１０３に供給する電源を生成し、超音波振動子駆動部１０４は超音波振動子電源１０２の電源供給をオンオフすることにより超音波振動子１０５を駆動し、遠心送風手段駆動部１０６で遠心送風手段１０７を駆動し、制御部１０８でスイッチ部１０９の入力により超音波振動子駆動部１０４および遠心送風手段駆動部１０６を制御できるように電源を生成する制御部電源１１０を設けていた。
【０００４】
【発明が解決しようとする課題】
このような従来の負イオン発生装置では、超音波振動子１０５を駆動する電気回路と、遠心送風手段１０７を駆動する電気回路は別々に形成されていたため、超音波振動子１０５の上方を囲み形成した霧化室の上部に着脱自在に設けられた遠心送風手段１０７を、運転中に取り外しても超音波振動子１０５は駆動を続ける状態にあり、遠心送風手段１０７を取り外したことにより、霧化室の上部が開口し、超音波振動子１０５の霧化部分に手が触れることができ、手の細胞に損傷を与えて危険であるという課題があり、安全性を高めることが要求されている。
【０００５】
また、遠心送風手段１０７の電気的接続部が確実に接続されていないで遠心送風手段１０９が停止している状態でも、超音波振動子１０５は駆動し霧化しているため、水滴に含まれた雑菌が放出され衛生上良くないという課題があり、また、スイッチ部１０９の運転信号により遠心送風手段駆動部１０６と超音波振動子駆動部１０４を同時に運転開始させていたため、遠心送風手段１０７の回転が定常の運転状態になっておらず、超音波振動子１０５から発生させた水滴を水滴分離ネットにより完全に気水分離できず、水滴に含まれた雑菌が放出されるという課題があり、また、お手入れや掃除のときに、水滴分離ネットを取付け忘れて運転した場合は、大きな水滴が分離されないので水滴に含まれた雑菌が放出されるという課題があり、水滴分離ネットを取付け忘れしたときは、自動的に検出して運転を行わないことが要求されている。
【０００６】
また、長い間使用していると水滴分離ネットに水の不純物が固着し、水滴分離機能が低下し水滴が飛び出す恐れがあるという課題があり、点検および手入れを使用者に知らしめることが要求されている。
【０００７】
本発明は、このような従来の課題を解決するもので、超音波振動子のみが駆動されないようにして安全性を高めることができ、また雑菌の放出をなくして衛生的効果を高めることができ、また、点検やお手入れを使用者に知らせ、機能を十分に発揮できる負イオン発生装置を提供することを目的としている。
【０００８】
【課題を解決するための手段】
本発明の負イオン発生装置は上記目的を達成するために、水槽に設けた超音波振動子と、この超音波振動子の上方空間を覆う霧化室と、この霧化室の上部に設けた回転する水滴分離ネットと、この水滴分離ネット側に吸気口を配設した遠心送風手段と、前記超音波振動子を駆動する超音波振動子駆動部と、前記遠心送風手段を駆動する遠心送風手段駆動部と、前記超音波振動子駆動部と前記遠心送風手段駆動部を制御する制御部と、前記霧化室と前記遠心送風手段とを分離自在に接続する接続部と、前記制御部に運転のオン、オフの信号を入力するスイッチ部と、前記遠心送風手段には運転状態を検知し出力する運転状態検知手段と、前記遠心送風手段駆動部を駆動させてからの時間を計測する計測手段とを備え、前記遠心送風手段への電源供給と前記運転状態検知手段の制御部への信号伝達を前記接続部を介して行い、前記制御部は前記運転状態検知手段が運転状態になっているときのみ、前記超音波振動子駆動部を駆動する構成としたものである。
【０００９】
本発明によれば超音波振動子のみが駆動されないようにして安全性を高めることができ、また、雑菌の放出をなくして衛生的効果を高めることのできる負イオン発生装置が得られる。
【００１０】
また、他の手段は、水槽に設けた超音波振動子と、この超音波振動子の上方空間を覆う霧化室と、この霧化室の上部に設けた回転する水滴分離ネットと、この水滴分離ネット側に吸気口を配設した遠心送風手段と、前記超音波振動子を駆動する超音波振動子駆動部と、前記遠心送風手段を駆動する遠心送風手段駆動部と、前記超音波振動子駆動部と前記遠心送風手段駆動部を制御する制御部と、前記霧化室と前記遠心送風手段とを分離自在に接続する接続部と、前記制御部に運転のオン、オフの信号を入力するスイッチ部と、点検とお手入れを知らせる表示部と、前記遠心送風手段の回転数を検知する回転数検知手段と、前記遠心送風手段駆動部を駆動させてからの時間を計測する計測手段とを備え、前記遠心送風手段への電源供給と、前記回転数検知手段の制御部への信号伝達を前記接続部を介して行い、前記制御部は、前記計測手段が前記遠心送風手段の回転が通常状態になるまでの時間を計測した後に、前記回転数検知手段の回転数が正常回転数範囲より小さいときには、前記遠心送風手段駆動部により、前記遠心送風手段を前記超音波振動子駆動部により、前記超音波振動子を停止させるとともに前記表示部に点検表示させる構成としたものである。
【００１１】
本発明によれば、雑菌の放出をなくして衛生的効果を高めることができ、また、点検やお手入れを使用者に知らせ機能を十分に発揮できる負イオン発生装置が得られる。
【００１２】
【発明の実施の形態】
本発明は、水槽に設けた超音波振動子と、この超音波振動子の上方空間を覆う霧化室と、この霧化室の上部に設けた回転する水滴分離ネットと、この水滴分離ネット側に吸気口を配設した遠心送風手段と、前記超音波振動子を駆動する超音波振動子駆動部と、前記遠心送風手段を駆動する遠心送風手段駆動部と、前記超音波振動子駆動部と前記遠心送風手段駆動部を制御する制御部と、前記霧化室と前記遠心送風手段とを分離自在に接続する接続部と、前記制御部にオン、オフの信号を入力するスイッチ部と、前記遠心送風手段には運転状態を検知し出力する運転状態検知手段と、前記遠心送風手段駆動部を駆動させてからの時間を計測する計測手段とを備え、前記遠心送風手段への電源供給と前記運転状態検知手段の制御部の信号伝達を前記接続部を介して行い、前記制御部は前記運転状態検知手段が運転状態になっているときのみ、前記超音波振動子駆動部を駆動する構成としたものであり、掃除やお手入れ等で遠心送風手段を外すと、運転状態検知手段は運転が停止している信号を制御部に出力し、制御部は超音波振動子の駆動を停止して安全を保つことができ、また、接続部がきちんと接続されていない場合に、運転しているにもかかわらず遠心送風手段が停止しているときにも制御部は超音波振動子の駆動を停止せしめるため、水滴に含まれた雑菌が放出されなくなり衛生上の問題もなくなるという作用を有する。
【００１３】
また、水槽に設けた超音波振動子と、この超音波振動子の上方空間を覆う霧化室と、この霧化室の上部に設けた回転する水滴分離ネットと、この水滴分離ネット側に吸気口を配設した遠心送風手段と、前記超音波振動子を駆動する超音波振動子駆動部と、前記遠心送風手段を駆動する遠心送風手段駆動部と、前記超音波振動子駆動部と前記遠心送風手段駆動部を制御する制御部と、前記霧化室と前記遠心送風手段とを分離自在に接続する接続部と、前記制御部に運転のオン、オフの信号を入力するスイッチ部と、点検とお手入れを知らせる表示部と、前記遠心送風手段の回転数を検知する回転数検知手段と、前記遠心送風手段駆動部を駆動させてからの時間を計測する計測手段とを備え、前記遠心送風手段への電源供給と、前記回転数検知手段の制御部への信号伝達を前記接続部を介して行い、前記制御部は前記タイマー計測手段が前記遠心送風手段の回転が通常状態になるまでの時間を計測した後に、前記回転数検知手段の回転数が正常回転数範囲より小さいときには、前記遠心送風手段駆動部により、前記遠心送風手段を前記超音波振動子駆動部により前記超音波振動子を停止させるとともに前記表示部に点検表示させる構成としたものであり、お手入れや掃除のとき、水滴分離ネットを付け忘れた場合、運転開始時に計測手段が遠心送風手段の回転が定常状態になるまでの時間を計測した後でも、遠心送風手段の回転数が正常回転数範囲よりも小さいときには、制御部は遠心送風手段と超音波振動子を停止させるため、水滴に含まれた雑菌が放出されなくなる。また、表示部に点検表示することで、水滴分離ネットの取付け忘れを使用者に知らせることができるという作用を有する。
【００１４】
以下、本発明の実施例について図面を参照しながら説明する。
【００１５】
【実施例】
（実施例１）
図１および図２に示すように、本体１内に設けた水槽２の底部に超音波振動子３を設け、超音波振動子３の上方空間を覆う霧化室４と、霧化室４の上部に設けた回転する水滴分離ネット５と、水滴分離ネット５側に吸気口６を配設した遠心送風手段７と、この遠心送風手段７を霧化室４に分離自在に接続する接続部８とにより負イオン発生装置の装置部分を形成し、電気回路は図２のブロック図に示すように、電源トランス９で商用電源から超音波振動子電源１０と遠心送風手段電源１１に供給する電源を生成するように設け、超音波振動子電源１０に超音波振動子駆動部１２と超音波振動子３を設け、遠心送風手段電源１１に遠心送風手段駆動部１３と遠心送風手段７を設け、超音波振動子駆動部１２と遠心送風手段駆動部１３を制御する制御部１４を設け、制御部１４には、制御部１４の電源を生成する制御部用電源１５を接続する。
【００１６】
また、接続部８は遠心送風手段７と、遠心送風手段７の回転体（ファンまたはモータ）に固定された磁石を対面するホール素子で検出して電気信号として取り出すように内蔵されている運転状態検知手段１６への電源を供給し、運転状態検知手段１６から制御部１４に出力される信号を接続するものである。
【００１７】
また、制御部１４には、運転開始時、遠心送風手段７の回転が定常となるまでの時間Ｔを計測する計測手段１７を内蔵しており、制御部１４に運転のオン、オフの信号を入力するスイッチ部１８および使用者に運転状態を知らせる鳴動部１９および表示部２０と異常表示部２１を接続して構成する。
【００１８】
上記構成において、運転時の動作を図３のフローチャートに基づいて説明する。
【００１９】
ステップ２２でスイッチ部１８をオンしてスタートすると、ステップ２３で遠心送風手段７は制御部１４により遠心送風手段駆動部１３を介して運転状態となり超音波振動子３は制御部１４により超音波振動子駆動部１２を介して運転状態となり、ステップ２４で遠心送風手段７に内蔵されている運転状態検知手段１６により遠心送風手段７が運転中であるか否かを検知し、運転中であればそのまま続行し、運転中でない場合には、ステップ２５で遠心送風手段７および超音波振動子３の電気回路をオフするとともに、ステップ２６で制御部１４を介して表示部２０に点検するように点検表示を行うとともに、鳴動部１９を鳴動して使用者に遠心送風手段７を点検することを知らせる。
【００２０】
また、スイッチ部１８の入力により遠心送風手段７が運転されたときの動作を図４のフローチャートに基づいて説明する。
【００２１】
ステップ２７でスイッチ部１８をオンしてスタートすると、ステップ２８で遠心送風手段７を運転するように入力され、ステップ２９で遠心送風手段駆動部１３がオンして遠心送風手段７が運転され、ステップ３０で計測手段１７により遠心送風手段７が正常運転状態になるＴ時間が経過しているか否かが計測されＴ時間経過していない場合は繰返し行い、Ｔ時間経過している場合には、ステップ３１で超音波振動子駆動部１２をオンして超音波振動子３を駆動させ運転する。
【００２２】
このように本発明の実施例１の負イオン発生装置によれば、水槽２に設けた超音波振動子３と、この超音波振動子３の上方空間を覆う霧化室４と、この霧化室４の上部に設けた回転する水滴分離ネット５と、この水滴分離ネット５側に吸気口６を配設した遠心送風手段７と、超音波振動子３を駆動する超音波振動子駆動部１２と、遠心送風手段７を駆動する遠心送風手段駆動部１３と、超音波振動子駆動部１２と遠心送風手段駆動部１３を制御する制御部１４と、霧化室４と遠心送風手段７とを分離自在に接続する接続部８と、制御部１４に運転のオン、オフの信号を入力するスイッチ部１８と、遠心送風手段７には運転状態を検知し出力する運転状態検知手段１６と、遠心送風手段駆動部１３を駆動させてからの時間を計測する計測手段１７とを備え、遠心送風手段７への電源供給と運転状態検知手段１６の制御部１４への信号伝達を接続部８を介して行い、制御部１４は運転状態検知手段１６が運転状態になっているときのみ、超音波振動子駆動部１２を駆動する構成としたので、運転中に掃除やお手入れ等で遠心送風手段７を霧化室４から外すと、運転状態検知手段１６は運転が停止している信号を制御部１４に出力し、制御部１４は超音波振動子３の駆動を停止させ、霧化部分に手を触れても安全を確保することができる。
【００２３】
また、接続部８がきちんと接続されていない場合に、運転しているにもかかわらず遠心送風手段７が停止しているときにも、制御部１４は超音波振動子３の駆動を停止するため、水滴に含まれた雑菌が放出されなくなり、衛生上の問題もなくなることとなる。
【００２４】
また、スイッチ部１８の入力により運転状態にさせるときには、制御部１４は運転状態検知手段１６の出力が運転状態になってから、計測手段１７が遠心送風手段７の回転が定常状態になるまでの時間を計測した後に、制御部１４が超音波振動子駆動部１２を制御し超音波振動子３を駆動させる構成としたので、制御部１４は、遠心送風手段７を運転状態としたときには、計測手段１７が遠心送風手段７の回転が定常状態になるまでの時間を計測した後に超音波振動子３を駆動させるため、超音波振動子３が発生した大粒の水滴を水滴分離ネット５で分離することができ、水滴に含まれた雑菌が放出されることがなくなる。
【００２５】
（実施例２）
図５および図６に示すように、本体１Ａ内に設けた水槽２Ａの底部に超音波振動子３Ａを設け、超音波振動子３Ａの上方空間を覆う霧化室４Ａと、霧化室４Ａの上部に設けた回転する水滴分離ネット５Ａと、水滴分離ネット５Ａ側に吸気口６Ａを配設した遠心送風手段７Ａと、この遠心送風手段７Ａを霧化室４Ａに分離自在に接続する接続部８Ａとにより負イオン発生装置の装置部分を形成する。電気回路は図５に示すように、電源トランス９Ａで商用電源から超音波振動子電源１０Ａと遠心送風手段電源１１Ａに供給する電源を生成するように設け、超音波振動子電源１０Ａに超音波振動子駆動部１２Ａと超音波振動子３Ａを設け、遠心送風手段電源１１Ａに遠心送風手段駆動部１３Ａと遠心送風手段７Ａを設け、超音波振動子駆動部１２Ａと遠心送風手段駆動部１３Ａを制御する制御部１４Ａを設ける。制御部１４Ａには、制御部１４Ａの電源を生成する制御部用電源１５Ａを接続する。
【００２６】
また、遠心送風手段７Ａには、遠心送風手段７Ａの回転数を検知する回転数検知手段３２を設け、制御部１４に信号を出力するように接続している。
【００２７】
また、制御部１４Ａには、運転開始時、遠心送風手段７の回転が定常となるまでの時間Ｔを計測する計測手段１７Ａを内蔵しており、制御部１４Ａに運転のオン、オフの信号を入力するスイッチ部１８Ａおよび、使用者に運転状態を知らせる鳴動部１９Ａおよび表示部２０Ａを設ける。表示部２０Ａには点検を知らせる点検表示部３３と、お手入れを知らせるお手入れ表示部３４を設け接続して構成する。
【００２８】
上記構成において、遠心送風手段７Ａが運転されたときの動作を図７のフローチャートに基づいて説明する。
【００２９】
ステップ３５でスイッチ部１８Ａをオンしてスタートすると、ステップ３６で遠心送風手段７Ａを運転するように入力され、ステップ３７で遠心送風手段駆動部１３Ａがオンして遠心送風手段７Ａが運転され、ステップ３８で遠心送風手段７Ａの回転数が回転数検知手段３２で検知され、回転数が正常回転数範囲より小さくないときには、ステップ３９で超音波振動子駆動部１２Ａをオンして超音波振動子３Ａを駆動し負イオン発生装置を運転する。
【００３０】
また、ステップ３８で検知した回転数が正常回転数範囲より小さいときには、ステップ４０で計測手段１７Ａにより遠心送風手段７Ａが正常運転状態になるＴ時間が経過しているか否かが計測され、Ｔ時間が経過していない場合には繰返して行い、Ｔ時間経過している場合にはステップ４１で表示部２０Ａの点検表示部３３を表示するとともに、鳴動部１９Ａを鳴動して使用者に点検する必要があることを知らせる。
【００３１】
次に、運転時の動作を図８のフローチャートに基づいて説明する。
【００３２】
ステップ４２でスイッチ部１８Ａをオンしてスタートすると、ステップ４３で遠心送風手段７Ａは制御部１４Ａにより遠心送風手段駆動部１３Ａを介して運転状態となり、超音波振動子３Ａは制御部１４Ａにより超音波振動子駆動部１２Ａを介して運転状態となり、ステップ４４で遠心送風手段７Ａに内蔵されている回転数検知手段３２により、遠心送風手段７Ａの回転数が正常回転数範囲より大きいか否かを検知し、大きくない場合にはそのまま続行し、大きい場合にはステップ４５で遠心送風手段７Ａおよび超音波振動子３Ａの電気回路をオフするとともに、ステップ４６で水滴分離ネット５Ａのお手入れをするように表示部２０Ａのお手入れ表示部３４を表示するとともに、鳴動部１９Ａを鳴動して使用者に水滴分離ネット５Ａをお手入れすることを知らせる。
【００３３】
さらに、水滴分離ネット５Ａが回転しているときの動作を図９のフローチャートに基づいて説明する。
【００３４】
ステップ４７でスイッチ部１８Ａをオンしてスタートすると、ステップ４８で遠心送風手段７Ａを運転するように入力され、ステップ４９で遠心送風手段駆動部１３Ａがオンして遠心送風手段７Ａが駆動し、ステップ５０で回転数検知手段３２で検知した回転数が気水分離する回転数以上か否かを検知し、気水分離する回転数以上でない場合には繰り返し行い、気水分離する回転数以上の場合には、ステップ５１で超音波振動子駆動部１２Ａをオンして超音波振動子３Ａを駆動し運転する。
【００３５】
このように本発明の実施例２の負イオン発生装置によれば、水槽２Ａに設けた超音波振動子３Ａと、この超音波振動子３Ａの上方空間を覆う霧化室４Ａと、霧化室４Ａの上部に設けた回転する水滴分離ネット５Ａと、水滴分離ネット５Ａ側に吸気口６Ａを配設した遠心送風手段７Ａと、超音波振動子３Ａを駆動する超音波振動子駆動部１２Ａと、遠心送風手段７Ａを駆動する遠心送風手段駆動部１３Ａと、超音波振動子駆動部１２Ａと遠心送風手段駆動部１３Ａを制御する制御部１４Ａと、霧化室４Ａと遠心送風手段７Ａとを分離自在に接続する接続部８Ａと、制御部１４Ａに運転のオン、オフの信号を入力するスイッチ部１８Ａと、点検とお手入れを知らせる表示部２０Ａと、遠心送風手段７Ａの回転数を検知する回転数検知手段３２と、遠心送風手段駆動部１３Ａを駆動させてからの時間を計測する計測手段１７Ａとを備え、遠心送風手段７Ａへの電源供給と、回転数検知手段３２の制御部１４Ａへ信号伝達を接続部８Ａを介して行い、制御部１４Ａは、計測手段１７Ａが遠心送風手段７Ａの回転が通常状態になるまでの時間を計測した後に、回転数検知手段３２で検知した回転数が正常回転数範囲より小さいときには、遠心送風手段駆動部１３Ａにより、遠心送風手段７Ａを、超音波振動子駆動部１２Ａにより超音波振動子３Ａを停止させるとともに、表示部２０Ａに点検表示させる構成としたので、お手入れや掃除のとき、水滴分離ネット５Ａを付け忘れた場合、運転開始時に計測手段１７Ａが遠心送風手段７Ａの回転が定常状態になるまでの時間を計測した後でも、遠心送風手段７Ａの回転数が正常回転数範囲よりも小さいときには、制御部１４Ａは遠心送風手段７Ａと超音波振動子３Ａを停止させることにより、水滴に含まれた雑菌が放出されなくなるとともに、表示部２０Ａに点検表示することで水滴分離ネット５Ａの取付け忘れを使用者に知らせることができる。
【００３６】
また、制御部１４Ａは運転時に回転数検知手段３２の回転数が正常回転数範囲より大きいときには、遠心送風手段駆動部１３Ａにより遠心送風手段７Ａを停止させるとともに、表示部２０Ａのお手入れ表示部３３にお手入れ表示をさせる構成としたので、水滴分離ネット５Ａに水の不純物が固着し、運転時に圧損が高くなり遠心送風手段７Ａの回転数が正常回転数範囲より大きくなったときには、制御部１４Ａは遠心送風手段７Ａと超音波振動子３Ａを停止させるとともに、表示部２０Ａのお手入れ表示部３４を表示して水滴分離ネット５Ａのお手入れ時期を使用者に知らせることができる。
【００３７】
また、制御部１４Ａは運転開始時に遠心送風手段７Ａを駆動させ、回転数検知手段３２の回転数が気水分離する回転数以上になって初めて超音波振動子駆動部１２Ａを制御し、超音波振動子３Ａを駆動する構成としたので、運転開始時には、回転数検知手段３２の検知回転数が気水分離回転数以上となって初めて制御部１４Ａが超音波振動子駆動部１２Ａを制御し超音波振動子３Ａを駆動することとなり、確実に水滴が気水分離され、雑菌が放出されなくなる。
【００３８】
なお、実施例２の説明においては、水滴分離ネット５Ａの取付け忘れにより、圧損が低くなり、遠心送風手段７Ａの回転数が正常回転数範囲より小さくなったり、水滴分離ネット５Ａに水の不純物が固着し、圧損が高くなり遠心送風手段７Ａの回転数が正常回転数範囲より大きくなったりすることについて説明したが、圧損と回転数の関係については図１０からも明らかなように圧損が高くなると回転数が高くなることがわかる。
【００３９】
【発明の効果】
以上の実施例から明らかなように、本発明によれば水槽に設けた超音波振動子と、この超音波振動子の上方空間を覆う霧化室と、この霧化室の上部に設けた回転する水滴分離ネットと、この水滴分離ネット側に吸気口を配設した遠心送風手段と、前記超音波振動子を駆動する超音波振動子駆動部と、前記遠心送風手段を駆動する遠心送風手段駆動部と、前記超音波振動子駆動部と前記遠心送風手段駆動部を制御する制御部と、前記霧化室と前記遠心送風手段とを分離自在に接続する接続部と、前記制御部に運転のオン、オフの信号を入力するスイッチ部と、前記遠心送風手段には運転状態を検知し出力する運転状態検知手段と、前記遠心送風手段駆動部を駆動させてからの時間を計測する計測手段とを備え、前記遠心送風手段への電源供給と前記運転状態検知手段の制御部への信号伝達を前記接続部を介して行い、前記制御部は前記運転状態検知手段が運転状態になっているときのみ、前記超音波振動子駆動部を駆動する構成としたので、霧化部分に手を触れることがなくなり安全に使用することができ、また、水滴に含まれた雑菌が放出されることがなくなり衛生的効果を高めることができる負イオン発生装置を提供できる。
【００４０】
また、水槽に設けた超音波振動子と、この超音波振動子の上方空間を覆う霧化室と、この霧化室の上部に設けた回転する水滴分離ネットと、この水滴分離ネット側に吸気口を配設した遠心送風手段と、前記超音波振動子を駆動する超音波振動子駆動部と、前記遠心送風手段を駆動する遠心送風手段駆動部と、前記超音波振動子駆動部と前記遠心送風手段駆動部を制御する制御部と、前記霧化室と前記遠心送風手段とを分離自在に接続する接続部と、前記制御部に運転のオン、オフの信号を入力するスイッチ部と、点検とお手入れを知らせる表示部と、前記遠心送風手段の回転数を検知する回転数検知手段と、前記遠心送風手段駆動部を駆動させてからの時間を計測する計測手段とを備え、前記遠心送風手段への電源供給と、前記回転数検知手段の制御部への信号伝達を前記接続部を介して行い、前記制御部は、前記計測手段が前記遠心送風手段の回転が通常状態になるまでの時間を計測した後に、前記回転数検知手段で検知した回転数が正常回転数範囲より小さいときには、前記遠心送風手段駆動部により、前記遠心送風手段を前記超音波振動子駆動部により前記超音波振動子を停止させるとともに前記表示部に点検表示させる構成としたので、水滴に含まれた雑菌が放出されることがなくなり衛生的効果を高めることができ、また、水滴分離ネットの取付け忘れを使用者に知らせることのできる負イオン発生装置を提供できる。
【００４１】
また、スイッチ部の入力により運転状態にさせるときには、制御部は運転状態検知手段の出力が運転状態となってから計測手段が遠心送風手段の回転が定常状態になるまでの時間を計測した後に、前記制御部が超音波振動子駆動部を制御し超音波振動子を駆動させる構成としたので、超音波振動子が発生させた大粒の水滴を水滴分離ネットで分離することができ、水滴に含まれた雑菌が放出されることがなくなる。
【００４２】
また、制御部は運転時に回転数検知手段の回転数が正常回転数範囲より大きいときには、遠心送風手段駆動部により遠心送風手段を停止させるとともに表示部のお手入れ表示部にお手入れ表示をさせる構成としたので、水滴分離ネットのお手入れ時期を使用者に知らせることができる。
【００４３】
また、制御部は運転開始時に遠心送風手段を駆動させ、回転数検知手段の回転数が気水分離する回転数以上になって初めて超音波振動子駆動部を制御し、超音波振動子を駆動する構成としたので、確実に水滴が分離され、雑菌が放出されることがなくなる。
【図面の簡単な説明】
【図１】本発明の実施例１の負イオン発生装置の構成を示すブロック図
【図２】同負イオン発生装置の本体の構成を示す断面図
【図３】同負イオン発生装置の運転時の動作を示すフローチャート
【図４】同負イオン発生装置の遠心送風手段の駆動時の動作を示すフローチャート
【図５】本発明の実施例２の負イオン発生装置の構成を示すブロック図
【図６】同負イオン発生装置の本体の構成を示す断面図
【図７】同負イオン発生装置の遠心送風手段の駆動時の動作を示すフローチャート
【図８】同負イオン発生装置の運転時の動作を示すフローチャート
【図９】同負イオン発生装置の水滴分離ネットの回転時の動作を示すフローチャート
【図１０】同負イオン発生装置の圧損と回転数の関係を示す図
【図１１】従来の負イオン発生装置の構成を示すブロック図
【符号の説明】
２　水槽
２Ａ　水槽
３　超音波振動子
３Ａ　超音波振動子
４　霧化室
４Ａ　霧化室
５　水滴分離ネット
５Ａ　水滴分離ネット
６　吸気口
６Ａ　吸気口
７　遠心送風手段
７Ａ　遠心送風手段
８　接続部
８Ａ　接続部
１２　超音波振動子駆動部
１２Ａ　超音波振動子駆動部
１３　遠心送風手段駆動部
１３Ａ　遠心送風手段駆動部
１４　制御部
１４Ａ　制御部
１６　運転状態検知手段
１７　計測手段
１７Ａ　計測手段
１８　スイッチ部
１８Ａ　スイッチ部
２０　表示部
２０Ａ　表示部
３２　回転数検知手段
３３　点検表示部
３４　お手入れ表示部
【図１】
2004053080.tif 000003
【図２】
2004053080.tif 000004
【図３】
2004053080.tif 000005
【図４】
2004053080.tif 000006
【図５】
2004053080.tif 000007
【図６】
2004053080.tif 000008
【図７】
2004053080.tif 000009
【図８】
2004053080.tif 000010
【図９】
2004053080.tif 000011
【図１０】
2004053080.tif 000012
【図１１】
2004053080.tif 000013